(57)【要約】      （修正有）【課題】物品を収容した包装袋の内側から物品を容易に取り出すことができる包装袋を提供する。【解決手段】包装材１が袋状に形成されてなり、物品を収容する収容空間を形成する包装袋１０であって、包装材は、第一シート材２と、第一シート材に連結される第二シート材３とを備え、一方の面が外側となるように袋状に形成されており、第一シート材は、第二シート材の他方の面側で第二シート材と重なり合い、一方向に間隔を空けて配置される二つの重合端部２ｃを備えており、第二シート材は、第一シート材の二つの重合端部と重なり合って二つの重合端部と分離可能に連結される二つの分離連結部３ａを備えており、二つの分離連結部は、第二シート材における一方向に交差する他方向の一端部から他端部側へ離間した位置に形成されており、第二シート材における二つの分離連結部よりも他方向の一端側の領域が包装材の他の領域と連結されないように構成される。【選択図】図２
2019214395.tif 000002
【特許請求の範囲】
【請求項１】
包装材が袋状に形成されてなり、物品を収容する収容空間を形成する包装袋であって、
前記包装材は、第一シート材と、該第一シート材に連結される第二シート材とを備え、第一シート材及び第二シート材の一方の面が外側となるように袋状に形成されており、
第一シート材は、第二シート材の他方の面側で第二シート材と重なり合う二つの重合端部であって一方向に間隔を空けて配置される二つの重合端部を備えており、
第二シート材は、第一シート材の二つの重合端部と重なり合って該二つの重合端部と分離可能に連結される二つの分離連結部を備えており、
該二つの分離連結部は、第二シート材における前記一方向に交差する他方向の一端部から他端部側へ離間した位置に形成されており、
第二シート材における二つの分離連結部よりも前記他方向の一端側の領域が包装材の他の領域と連結されないように構成される包装袋。
【請求項２】
前記第二シート材の二つの分離連結部は、前記他方向に延びるように形成されており、
前記包装材は、前記一方向に曲げられて前記他方向に延びる筒状に形成されており、
前記他方向に間隔を空けた二箇所の位置で前記一方向に延びるように形成されると共に二つの分離連結部と交差するように形成される領域で、包装材の重なり合った部分同士が連結されることで収容空間を閉塞する二つの閉塞連結部が形成されており、
第二シート材は、第二シート材の前記他方向の一端部側に位置する一方の閉塞連結部を構成する領域が包装材の他の領域に分離可能に連結される請求項１に記載の包装袋。
【請求項３】
請求項１又は２に記載の包装袋を形成するための包装材であって、
第一シート材は、前記一方向に間隔を空けて並列して配置される二つの第一シート片を備えており、
一方の第一シート片は、他方の第一シート片側の端部に一方の重合端部を備え、他方の第一シート片は、一方の第一シート片側の端部に他方の重合端部を備える包装材。
【発明の詳細な説明】
【技術分野】
【０００１】
本発明は、物品を収容する包装袋に関し、該包装袋を形成する包装材に関する。
【背景技術】
【０００２】
従来から、樹脂フィルムや紙等のシート材が袋状に形成されてなる包装袋が知られている。このような包装袋を形成する方法としては、例えば、一方向が長手となる長尺の包装材原反を長手方向に搬送しつつ袋状に形成するピロー包装が知られている。
【０００３】
具体的には、斯かるピロー包装では、一般的に、長手方向に搬送される包装材原反上に物品を供給し、該物品を包み込むように包装材原反を短手方向に曲げて短手方向の両端部を重ね合わせつつシールする。これにより、包装材原反が筒状に形成されると共に、長手方向に延びる背貼りシール部が形成される。そして、長手方向における物品の両側で包装材原反の互いに重なり合った部分同士をシールして短手方向に延びる一対の封止シール部を形成すると共に、一対の封止シール部の位置で包装材原反を切断する。これにより、物品を内包した包装袋が形成される。
【０００４】
つまり、上記のようにして形成される包装袋は、一方向に延びる背貼りシール部と、一方向に直交する他方向に延びて背貼りシール部の両端部と交差する一対の封止シール部とによって、物品の収容空間が密封されるように構成されている（特許文献１参照）。このような、包装袋から物品を取り出す際には、シート材における背貼りシール部や一対の封止シール部を構成する部分を剥離したり、前記一方向、又は、前記他方向に沿って包装袋を切断したりすることで開口部を形成する（開封する）。これにより、該開口部から物品を取り出すことが可能となる。
【先行技術文献】
【特許文献】
【０００５】
【特許文献１】特開平１０−２５０７６４号公報
【発明の概要】
【発明が解決しようとする課題】
【０００６】
しかしながら、上記のような方法で、包装袋を開封した場合、包装袋に形成される開口部の広さを十分に確保することができない。このため、開口部から包装袋内の物品を取り出すことが困難になる。
【０００７】
そこで、本発明は、物品を収容した包装袋の内側から物品を容易に取り出すことができる包装袋を提供することを課題とする。また、本発明は、斯かる包装袋を形成する包装材を提供することを課題とする。
【課題を解決するための手段】
【０００８】
本発明に係る包装袋は、包装材が袋状に形成されてなり、物品を収容する収容空間を形成する包装袋であって、前記包装材は、第一シート材と、該第一シート材に連結される第二シート材とを備え、第一シート材及び第二シート材の一方の面が外側となるように袋状に形成されており、第一シート材は、第二シート材の他方の面側で第二シート材と重なり合う二つの重合端部であって一方向に間隔を空けて配置される二つの重合端部を備えており、第二シート材は、第一シート材の二つの重合端部と重なり合って該二つの重合端部と分離可能に連結される二つの分離連結部を備えており、該二つの分離連結部は、第二シート材における前記一方向に交差する他方向の一端部から他端部側へ離間した位置に形成されており、第二シート材における二つの分離連結部よりも前記他方向の一端側の領域が包装材の他の領域と連結されないように構成される。
【０００９】
斯かる構成によれば、第二シート材における二つの分離連結部よりも前記他方向の一端側の領域（以下、非連結部とも記す）が包装材の他の領域と連結されないように構成される。これにより、物品を収容した状態であっても、非連結部を指などで容易に摘むことができる。そして、非連結部を指などで摘んで第二シート材における前記他方向の他端部側へ引っ張ることで、第二シート材の二つの分離連結部が第一シート材の二つの重合端部から分離される。これにより、第一シート材から第二シート材を分離することができる。
【００１０】
ここで、第一シート材の二つの重合端部は、一方向に間隔を空けて配置されるため、上述のように、第一シート材から第二シート材が分離されることで、二つの重合端部間に比較的広い開口部が形成される。これにより、斯かる開口部から包装袋内の物品を容易に取り出すことができる。
【００１１】
前記第二シート材の二つの分離連結部は、前記他方向に延びるように形成されており、前記包装材は、前記一方向に曲げられて前記他方向に延びる筒状に形成されており、前記他方向に間隔を空けた二箇所の位置で前記一方向に延びるように形成されると共に二つの分離連結部と交差するように形成される領域で、包装材の重なり合った部分同士が連結されることで収容空間を閉塞する二つの閉塞連結部が形成されており、第二シート材は、第二シート材の前記他方向の一端部側に位置する一方の閉塞連結部を構成する領域が包装材の他の領域に分離可能に連結されることが好ましい。
【００１２】
斯かる構成によれば、前記他方向に間隔を空けた二箇所の位置で前記一方向に延びるように形成されると共に二つの分離連結部と交差するように形成される領域で、包装材の重なり合った部分同士が連結されることで収容空間を閉塞する二つの閉塞連結部が形成される。これにより、第二シート材における前記他方向の一端側に位置する一方の閉塞連結部は、非連結部よりも第二シート材における前記他方向の他端部側に形成される。
【００１３】
そして、第二シート材における一方の閉塞連結部を構成する領域は、包装材の他の領域に分離可能に連結される。これにより、非連結部を指などで摘んで、第二シート材における前記他方向の他端部側へ引っ張ることで、第二シート材における一方の閉塞連結部を形成する領域が包装材の他の領域から分離されると共に、第二シート材の二つの分離連結部が第一シート材の二つの重合端部から分離される。これによって、第一シート材から第二シート材が分離されるため、上述のように、二つの重合端部間に比較的広い開口部が形成される。このため、斯かる開口部から包装袋内の物品を容易に取り出すことができる。
【００１４】
本発明に係る包装材は、上記何れかの包装袋を形成するための包装材であって、第一シート材は、前記一方向に間隔を空けて並列して配置される二つの第一シート片を備えており、一方の第一シート片は、他方の第一シート片側の端部に一方の重合端部を備え、他方の第一シート片は、一方の第一シート片側の端部に他方の重合端部を備える。
【００１５】
斯かる構成によれば、包装材が前記他方向に長尺状に形成されて包装材原反が形成した場合、第一シート材と第二シート材とが重なり合う部分（以下、重合部分とも記す）が前記他方向に延びるように形成されると共に、該重合部分が幅方向（前記一方向）に間隔を空けて二つ形成される。このため、包装材原反を長手方向に巻き回してロール状にした際に、重合部分が一つのみ形成される場合よりも、ロール状の形状が崩れ難くなるため、包装材原反のロール状の形状を良好に維持することができる。
【発明の効果】
【００１６】
以上のように、本発明によれば、物品を収容した包装袋の内側から物品を容易に取り出すことができる。
【図面の簡単な説明】
【００１７】
【図１】本発明の一実施形態に係る包装袋を形成する包装材を示した図。
【図２】同実施形態に係る包装袋の斜視図。
【図３】同実施形態に係る包装袋を第二方向に沿って見た際の一部断面図。
【図４】他の実施形態に係る包装袋の第一方向に沿った断面図。
【図５】更に他の実施形態に係る包装袋の第一方向に沿った断面図。
【発明を実施するための形態】
【００１８】
以下に、本発明に係る包装袋の一実施形態について、図１，２を参照しつつ説明する。なお、以下の図面において同一又は相当する部分には同一の参照符号を付しその説明は繰り返さない。また、以下の説明で、一方向とは、各図の座標軸のｘ軸に沿った方向であり、他方向とは、各図の座標軸のｙ軸に沿った方向である。
【００１９】
本発明に係る包装袋は、包装材が袋状に形成されてなるものである。従って、まず初めに、包装袋を形成する包装材の一実施形態について説明する。
【００２０】
図１に示すように、包装材１は、第一シート材２と、該第一シート材２に連結される第二シート材３とを備える。そして、包装材１は、第一シート材２及び第二シート材３の一方の面が外側となるように袋状に形成可能に構成される。
【００２１】
第一シート材２は、一方向に間隔を空けて並列して配置される二つの第一シート片２ａ，２ａを備える。該二つの第一シート片２ａ，２ａは、一方の第一シート片２ａにおける他方の第一シート片２ａ側の端部２ｂが前記一方向（以下では、第一方向とも記す）に交差する他方向（以下では、第二方向とも記す）に延びるように配置されており、他方の第一シート片２ａにおける一方の第一シート片２ａ側の端部２ｂが第二方向に延びるように配置される。そして、一方の第一シート片２ａにおける他方の第一シート片２ａ側の端部２ｂと、他方の第一シート片２ａにおける一方の第一シート片２ａ側の端部２ｂとが第一方向に間隔を空けて配置される。
【００２２】
第一シート材２は、第二シート材３の他方の面側で第二シート材３と重なり合う二つの重合端部２ｃ，２ｃを備える。本実施形態では、第一シート材２の一方の面における二つの重合端部２ｃ，２ｃを構成する領域が第二シート材３の他方の面と対峙するように配置される。また、二つの重合端部２ｃ，２ｃは、第一方向に間隔を空けて配置される。本実施形態では、第一シート材２は、一方の第一シート片２ａにおける他方の第一シート片２ａ側の端部２ｂに一方の重合端部２ｃを備え、他方の第一シート片２ａにおける一方の第一シート片２ａ側の端部２ｂに他方の重合端部２ｃを備える。
【００２３】
第二シート材３は、第一シート材２の二つの重合端部２ｃ，２ｃと重なり合って該二つの重合端部２ｃ，２ｃと分離可能に連結される二つの分離連結部３ａ，３ａを備える。該二つの分離連結部３ａ，３ａは、第二シート材３における第二方向の一端部３ｂから他端部３ｃ側へ離間した位置に形成される。また、二つの分離連結部３ａ，３ａは、第一方向に離れた位置に形成される。本実施形態では、二つの分離連結部３ａ，３ａのそれぞれは、第二シート材３の第一方向の両端部の近傍に形成される。
【００２４】
また、各分離連結部３ａは、第二方向に延びるように形成される。換言すれば、各分離連結部３ａは、第二方向に延びる帯状の領域から構成される。そして、各分離連結部３ａの第二方向の一端部は、第二シート材３の第二方向の一端部３ｂから他端部３ｃ側へ離間した場所に位置するように構成され、各分離連結部３ａの第二方向の他端部は、第二シート材３の第二方向の他端部３ｃに達するように構成される。また、各分離連結部３ａは、第二シート材３における第一シート材２（具体的には、重合端部２ｃ）と重なる領域の第一方向の少なくとも一部に形成される。本実施形態では、各分離連結部３ａは、第二シート材３における第一シート材２と重なり合う領域の第一方向の中央部に形成される。このため、第二シート材３における二つの分離連結部３ａ，３ａよりも第一方向の両端側の部分は、第一シート材２に連結されないように構成される。
【００２５】
二つの重合端部２ｃ，２ｃと、二つの分離連結部３ａ，３ａとを分離可能に連結する方法としては、特に限定されるものではなく、例えば、第一シート材２及び／又は第二シート材３に、所謂、パートコートを施して弱シールとなるようにヒートシールする方法や、剥離可能な両面テープ等を用いる方法等が挙げられる。
【００２６】
また、第二シート材３は、二つの分離連結部３ａ，３ａよりも第二方向の一端部３ｂ側の領域（以下、非連結部とも記す）３ｄが包装材１の他の領域と連結されないように構成される。該非連結部３ｄは、第一方向の両端部が第一シート材２の二つの重合端部２ｃ，２ｃと重なり合うように構成されており、該両端部が二つの重合端部２ｃ，２ｃと連結されないように構成される。本実施形態では、非連結部３ｄは、第一方向に延びる帯状に形成される。
【００２７】
上記のように構成される包装材１は、第一シート材２及び第二シート材３の一方の面が外側となるように袋状に形成されることで、図２，３に示すような包装袋１０を形成する。該包装袋１０では、包装材１が第一方向に曲げられて第二方向に延びる筒状に形成されており、内側に物品Ｘを収容可能な収容空間が形成される。また、包装袋１０では、第二方向に間隔を空けた二箇所の位置で第一方向に延びるように形成される領域であって二つの分離連結部３ａ，３ａと交差する領域で、包装材１の重なり合った部分同士が連結される。これにより、収容空間を閉塞する二つの閉塞連結部１０ａ，１０ａが形成されている。
【００２８】
二つの閉塞連結部１０ａ，１０ａは、第二シート材３における非連結部３ｄよりも第二方向の他端部３ｃ側に形成される。また、包装袋１０の第二方向の一端部側（非連結部３ｄを備える側）に形成される一方の閉塞連結部１０ａでは、第二シート材３における該一方の閉塞連結部１０ａを構成する領域が包装材１の他の領域に分離可能に連結される。また、他方の閉塞連結部１０ａは、包装袋１０の第二方向の他端部に形成される。
【００２９】
第二シート材３における一方の閉塞連結部１０ａを構成する領域を包装材１の他の領域に分離可能に連結する方法としては、特に限定されるものではなく、例えば、第二シート材３における分離可能に連結する部分に、所謂、パートコートを施して弱シールとなるようにヒートシールする方法や、剥離可能な両面テープ等を用いる方法等が挙げられる。
【００３０】
また、本実施形態では、包装袋１０は、第一シート材２における二つの重合端部２ｃ，２ｃと対向する位置の端部同士が連結されて形成された背貼り部１０ｂを備える。該背貼り部１０ｂは、第二方向に延びるように形成される。また、背貼り部１０ｂでは、該背貼り部１０ｂを構成する第一シート材２（二つの第一シート片２ａ）の各端部が第一シート材２の他方の面側を対峙させた状態（所謂、合掌状態）で連結される。
【００３１】
背貼り部１０ｂを形成する方法としては、特に限定されるものではなく、例えば、背貼り部１０ｂを構成する第一シート材２（二つの第一シート片２ａ）の各端部をヒートシールする方法や、両面テープ等を用いる方法等が挙げられる。
【００３２】
上記のように構成される包装袋１０内から物品Ｘを取り出す際には、非連結部３ｄを指などで摘んで、該非連結部３ｄを第二シート材３における第二方向の他端部３ｃ側へ引っ張る。これによって、第二シート材３の二つの分離連結部３ａ，３ａが第一シート材２の二つの重合端部２ｃ，２ｃから分離される。これにより、第一シート材２から第二シート材３が分離される。これにより、第一シート材２の二つの重合端部２ｃ，２ｃ間に開口部が形成されるため、斯かる開口部から包装袋１０内の物品Ｘを取り出すことができる。
【００３３】
以上のように、本発明に係る包装袋、及び、包装材によれば、物品Ｘを収容した包装袋の内側から物品Ｘを容易に取り出すことができる。
【００３４】
即ち、第二シート材３における二つの分離連結部３ａ，３ａよりも第二方向の一端部３ｂ側の領域（非連結部３ｄ）が包装材１の他の領域と連結されないように構成される。これにより、物品Ｘを収容した状態であっても、非連結部３ｄを指などで容易に摘むことができる。そして、非連結部３ｄを指などで摘んで第二シート材３における第二方向の他端部３ｃ側へ引っ張ることで、第二シート材３の二つの分離連結部３ａ，３ａが第一シート材２の二つの重合端部２ｃ，２ｃから分離される。これにより、第一シート材２から第二シート材３を分離することができる。
【００３５】
ここで、第一シート材２の二つの重合端部２ｃ，２ｃは、第一方向に間隔を空けて配置されるため、上述のように、第一シート材２から第二シート材３が分離されることで、二つの重合端部２ｃ，２ｃ間に比較的広い開口部が形成される。これにより、斯かる開口部から包装袋１０内の物品Ｘを容易に取り出すことができる。
【００３６】
また、第二方向に間隔を空けた二箇所の位置で第一方向に延びるように形成されると共に二つの分離連結部３ａ，３ａと交差するように形成される領域で、包装材１の重なり合った部分同士が連結されることで収容空間を閉塞する二つの閉塞連結部１０ａ，１０ａが形成される。これにより、第二シート材３における第二方向の一端部３ｂ側に位置する一方の閉塞連結部１０ａは、非連結部３ｄよりも第二シート材３における第二方向の他端部３ｃ側に形成される。
【００３７】
そして、第二シート材３における一方の閉塞連結部１０ａを構成する領域は、包装材１の他の領域に分離可能に連結される。これにより、非連結部３ｄを指などで摘んで、第二シート材３における第二方向の他端部３ｃ側へ引っ張ることで、第二シート材３における一方の閉塞連結部１０ａを形成する領域が包装材１の他の領域から分離されると共に、第二シート材３の二つの分離連結部３ａ，３ａが第一シート材２の二つの重合端部２ｃ，２ｃから分離される。これによって、第一シート材２から第二シート材３が分離されるため、上述のように、二つの重合端部２ｃ，２ｃ間に比較的広い開口部が形成される。このため、斯かる開口部から包装袋１０内の物品Ｘを容易に取り出すことができる。
【００３８】
また、包装材１が第二方向に長尺状に形成されて包装材原反（図示せず）が形成した場合、第一シート材２と第二シート材３とが重なり合う部分（以下、重合部分とも記す）が第二方向に延びるように形成されると共に、該重合部分が幅方向（第一方向）に間隔を空けて二つ形成される。このため、包装材原反を長手方向に巻き回してロール状にした際に、重合部分が一つのみ形成される場合よりも、ロール状の形状が崩れ難くなるため、包装材原反のロール状の形状を良好に維持することができる。
【００３９】
なお、本発明に係る包装袋、及び包装材は、上記実施形態に限定されるものではなく、本発明の要旨を逸脱しない範囲で種々の変更が可能である。また、上記した複数の実施形態の構成や方法等を任意に採用して組み合わせてもよく（１つの実施形態に係る構成や方法等を他の実施形態に係る構成や方法等に適用してもよく）、さらに、下記の各種の変更例に係る構成や方法等を任意に選択して、上記の実施形態に係る構成や方法等に採用してもよいことは勿論である。
【００４０】
例えば、上記実施形態では、第一シート材２の一方の面における二つの重合端部２ｃ，２ｃを構成する領域が第二シート材３の他方の面と対峙するように配置されているが、これに限定されるものではなく、例えば、図４に示すように、第一シート材２の他方の面における一方の重合端部２ｃを構成する領域が第二シート材３の他方の面と対峙するように配置されてもよい。又は、図５に示すように、第一シート材２の他方の面における二つの重合端部２ｃ，２ｃを構成する領域が第二シート材３の他方の面と対峙するように配置されてもよい。
【００４１】
また、上記実施形態では、第一シート材２は、二つの第一シート片２ａ，２ａから構成されているが、これに限定されるものではなく、例えば、図４，５に示すように、一枚のシート材から構成されてもよい。
【００４２】
また、上記実施形態では、二つの分離連結部３ａ，３ａのそれぞれは、第二シート材３の第一方向の両端部の近傍に形成されているが、これに限定されるものではなく、第二シート材３の第一方向の両端部から第一方向に離間した位置に二つの分離連結部３ａ，３ａが形成されてもよい。
【００４３】
また、上記実施形態では、二つの分離連結部３ａ，３ａは、第二方向に延びる帯状に連続的に形成されているが、これに限定されるものではなく、例えば、第二方向に間隔を空けて断続的に形成されてもよい。
【００４４】
また、上記実施形態では、各分離連結部３ａは、第二シート材３における第一シート材２と重なり合う領域の第一方向の一部（具体的には、中央部）にのみ形成されているが、これに限定されるものではなく、例えば、該領域の第一方向の全域が分離連結部３ａとなるように構成してもよい。
【符号の説明】
【００４５】
１…包装材、２…第一シート材、２ａ…第一シート片、２ｃ…重合端部、３…第二シート材、３ａ…分離連結部、３ｄ…非連結部、１０…包装袋、１０ａ…閉塞連結部、１０ｂ…背貼り部、Ｘ…物品
【図１】
2019214395.tif 000003
【図２】
2019214395.tif 000004
【図３】
2019214395.tif 000005
【図４】
2019214395.tif 000006
【図５】
2019214395.tif 000007